(57)【特許請求の範囲】
【請求項１】
ロープを介して滑車牽引機構の様式で昇降可能な、バランスウエイトを備える貯留走行機構のための担持構造体を包含し、貯留走行機構が転向ローラを備えられており、この転向ローラが、基礎側の固定の転向ローラと協働して、走入及び／又は走出するストリップを転向かつ案内する垂直型ストリップ貯留機構であって、その際担持構造体が一つの中央支柱（２）として、また貯留走行機構（４）が支柱の外面（３）を走行する張出し走行機構として形成されている垂直型ストリップ貯留機構において、
支柱（２）が中空でありかつ他の支柱に取り囲まれておらず、及び／又は支柱（２）上部にバランスウエイト（１８）のためのロープローラ（１６）が直接配置されており、バランスウエイト（１８）が支柱（２）の内部において案内されていることと、貯留走行機構（４）が互いに反対方向の、外方に向かって自在に位置する張出し枠体（５，６）を備えることを特徴とする垂直型ストリップ貯留機構。
【請求項２】
柱脚（２０）にストリップ中心制御装置（１９）が設けられていることを特徴とする請求項１に記載の垂直型ストリップ貯留機構。
【発明の詳細な説明】
【０００１】
本発明は、ロープを介して滑車牽引機構の様式で昇降可能な、バランスウエイトを備える貯留走行機構のための担持構造体を包含し、貯留走行機構が転向ローラを備えられており、この転向ローラが、基礎側の固定の転向ローラと協働して、走入及び／又は走出するストリップを転向かつ案内する垂直型ストリップ貯留機構に関する。
【０００２】
例えば、組み合わされる冷間ストリップのための連続焼鈍設備及び処理設備のために、定期刊行物「Ｓｔａｈｌ  ｕ．  Ｅｉｓｅｎ  １０３巻（１９８３年）  第９号４３５〜４４０頁」によって公知となっているようなストリップ処理設備においては、設備の入側部分及び出側部分の静止時間を架橋するために、このようなストリップ貯留機構が使用される。これらのストリップ処理設備は、入側及び出側における束交換の間の連続的に運転する処理部分を可能とするために、ループ形成によりストリップもしくはストリップ貯留品を収容することができる。その際、ストリップ処理設備は、一方ではいわゆる水平型貯留機構により、また他方ではいわゆる垂直型貯留機構もしくは垂直型ループ貯留機構により類別される。
【０００３】
冒頭で述べた垂直型貯留機構は、通常は鋼材担持構造体において移送タワーの様式で構成されており、可動の貯留走行機構が担持構造体の内部に案内され、即ち可動の貯留走行機構は案内装置でタワー内側に支持されている。バランスウエイトは外側に設けられている。この公知の鋼材担持構造体は、走行機構案内装置、走行機構駆動装置及びバランスウエイトの案内装置のための不利な動力導入に基づいて、比較的重く場所をとる構造方式を必要とする。
【０００４】
従って、本発明の基本をなす課題は、本願の属する垂直型ストリップ貯留機構を比較的簡単かつ有効に構成することにある。
【０００５】
この課題は、本発明によれば、担持構造体が支柱として、また貯留走行機構が支柱の外面を走行する張出し走行機構として形成されている垂直型ストリップ貯留機構において、支柱が中空で、及び／又は支柱上部にバランスウエイトのためのロープローラが直接配置されており、バランスウエイトが支柱の内部において案内されていることと、貯留走行機構（４）が互いに反対方向の張出し枠体（５，６）を備えることによって解決される。これにより、垂直型貯留機構の非常にコンパクトな構成が達成でき、このため著しい製造上の利点に結びつけることができる。何故なら、製造工場における支柱を予め造り、かつ調整することができるからである。これにより、従来のストリップ貯留機構と比較して組み立て時間が短くなる。加えて、特に互いに反対方向の張出し枠体を備えた、即ち、両側に突出して形成された貯留走行機構は、簡単な調整によって、垂直型貯留機構を能力において任意に変更するように変更でき、このことは、公知の垂直型貯留機構においては、閉鎖された構造方式に基づいて不可能である。つまり、本発明においては、張出し枠体に設けられた転向ローラの数を、簡単に枠組みを延長もしくは短縮することによって、走行能力を損なったり、もしくは案内装置を変更したりする必要がなく、相応して増加もしくは減少させることができる。即ちこれらの転向ローラが、支柱の外面に案内される貯留走行機構の、自在に担持する端部から隔たった側に位置する。
【０００６】
本発明の構成は、バランスウエイトが支柱の内部において案内されている。これにより本発明による支柱は、その上垂直型貯留機構のすべての本質的な機能要素の統合の可能性を、例えば必要なメンテナンスエレベータを収容するためにも提供する。このことは、有利に柱脚に設けられた、垂直型貯留機構の機能のために重要なそれ自身公知のストリップ中心制御装置のために重要である。
【０００７】
本発明の更に別の特徴及び利点を、請求項及び本発明の対象の実施例を詳細に説明する以下の記載から明らかにする。
【０００８】
その他には図示されてないストリップ処理設備において設けられた垂直型ストリップ貯留機構１は、図１によれば担持構造体として支柱２を備える。支柱の外面３には、互いに反対方向の配置で、昇降可能な貯留走行機構４を形成された２つの張出し枠体５もしくは６が設けられている。これらの張出し枠体は、−図示された実施例において−それぞれ４つの転向ローラ７を備えており、これらの転向ローラを介して固定の底部側の転向ローラ８と協働して、貯留すべきストリップ９がループ形状で走る。貯留走行機構４もしくは両方の張出し枠体５は、案内装置１０（図３参照）を介して支柱２の外面３に支持される。
【０００９】
支柱２の頭上側のプラットフォーム１１の上部には、一方では、滑車牽引機構の様式で複数のロープローラ１２が、モータ駆動されるウインチ１３（図２及び３参照）から出ている滑車牽引機構のロープ１４のために設けられており、これらのロープローラは貯留走行機構４のルーズな転向ローラ１５と協働する。これにより、ウインチ１３の作動によって貯留走行機構４は上昇もしくは降下し、所望の、もしくは必要な貯留在庫に応じて多少大きなループを牽引する。貯留走行機構４の中間位置−図面の簡略化のためにループは示されてない−は、図１及び２には破線で記入されている。他方では、プラットフォーム１１の上部にロープローラ１６が、貯留走行機構４の自重とバランスする、ロープ１７に固定された、支柱２の内部において案内された、図１及び２において破線のバランスウエイト１８のために設けられている。垂直型ストリップ貯留機構１の機能のために必要なストリップ中心制御装置１９は、図１によれば柱脚２０の内部もしくは外部に設けられている。
【００１０】
中央の支柱２をその外面に案内された貯留走行機構４のために備えている垂直型ストリップ貯留機構１は、製造工場においてコンパクトに予め造り、並びに調整することができ、このことは垂直型ストリップ貯留機構の後の組み立てを容易にし、また短縮する。支柱２の内部の、簡単かつ省スペースのバランスウエイト１８の案内装置からわかるように、外方に向かって自在に位置する張出し枠体５，６は、転向ローラ７に対して妨げられない自由な増加を提供するばかりではなく、更に同時に簡単な方法で、貯留能力を、相応して多数の転向ローラ７を有する貯留走行機構４の更に張出した枠体５，６によって高めることができる。
【図面の簡単な説明】
【図１】  その外面に移動可能な貯留走行機構を有する支柱の形態をした垂直型ストリップ貯留機構の正面図を部分的に断面にして示す。
【図２】  図１による垂直型ストリップ貯留機構を側面図に示す。
【図３】  図１の平面図を拡大した尺度で示す。
【符号の説明】
１          垂直型ストリップ貯留機構
２          支柱
３          外面
４          貯留走行機構
５，６      張出し枠体
７，８      転向ローラ
９          ストリップ
１０          案内装置（図３参照）
１１          プラットフォーム
１２，１６    ロープローラ
１３          ウインチ
１４，１７    ロープ
１５          転向ローラ
１８          バランスウエイト
１９          ストリップ中心制御装置
２０          柱脚
【図１】
0004571305.tif 000002
【図２】
0004571305.tif 000003
【図３】
0004571305.tif 000004